(57)【要約】【課題】車両の運転履歴に関係なく、傾斜角センサ自体の取付誤差や特性誤差に起因する傾斜角のゼロ点ずれを自動補正することができる傾斜角センサの自動補正装置を提供する。【解決手段】車速パルサ６が車速パルス１０ｓによってスイッチ５を間欠的にＯＮさせることにより、車両１に設置された傾斜角センサ３が、道路２の所定距離間隔ごとに傾斜角検出値４ｓをサンプリング抽出する。そして、所定距離間隔ごとにサンプリング抽出された傾斜角検出値４ｓの平均値が傾斜角基準値７ｓとして算出される。さらに、比較器８によって傾斜角検出値４ｓと傾斜角基準値７ｓとが比較され、傾斜角検出値４ｓから傾斜角基準値７ｓを引き算して傾斜センサ３の補正済み値として傾斜角真値９ｓが出力される。この傾斜角真値９ｓを用いることにより、傾斜角センサ３の取付誤差や環境誤差や経時誤差などによって生じる傾斜角検出値４ｓのゼロ点誤差を補正することができる。【選択図】図２
2008138620.tif 000002
【特許請求の範囲】
【請求項１】
傾斜角検出器の出力の所定の距離間隔毎における平均値もしくは積分値を前記傾斜角検出器の出力基準値とし、前記傾斜角検出器の出力値と前記出力基準値とに基づいて補正する補正手段を備えることを特徴とする傾斜角検出器の自動補正装置。
【請求項２】
前記補正手段は、前記傾斜角検出器の出力値から前記出力基準値を減算することを特徴とする請求項1に記載の傾斜角検出器の自動補正装置。
【請求項３】
車両停車時に、傾斜角検出器の出力値が所定値以上の場合に、エンジンのアイドリングの自動停止動作を禁止するエンジン自動停止車両において、
前記傾斜角検出器の出力の所定の距離間隔毎における平均値もしくは積分値を出力基準値とし、この出力基準値と前記出力値とを比較し、前記出力値から前記出力基準値を減算して補正する補正手段を備えることを特徴とする車両。
【請求項４】
少なくともエンジンを含む駆動源と、この駆動源に油圧制御クラッチを介して連結される駆動輪を備えた車両であって、
傾斜角検出器の出力の所定の距離間隔毎における平均値もしくは積分値を前記傾斜角検出器の出力基準値とし、前記傾斜角検出器の出力値と前記出力基準値とを比較し、前記出力値から前記出力基準値を差し引いて補正する補正手段を備え、
車両停車時に、前記補正手段の補正値が所定値以下の場合、前記油圧制御クラッチの伝達トルクを略ゼロとすることを特徴とする車両。
【請求項５】
大気圧の変動幅が所定値以上のときには、
前記補正手段は、前記補正を行わないことを特徴とする請求項３又は請求項４に記載の車両。
【請求項６】
前記車両の位置検出手段による移動距離とその車両が記憶した走行距離とが一致しないときは、
前記補正手段は、前記補正を行わないことを特徴とする請求項３又は請求項４に記載の車両。
【請求項７】
前記車両の姿勢変動が所定値以上のときには、
前記補正手段は、前記補正を行わないことを特徴とする請求項３又は請求項４に記載の車両。
【請求項８】
アクセルペダルの踏み込み変動量が所定値以上のときには、
前記補正手段は、前記補正を行わないことを特徴とする請求項３又は請求項４に記載の車両。
【請求項９】
低位のシフト段の使用頻度が所定値以上のときには、
前記補正手段は、前記補正を行わないことを特徴とする請求項３又は請求項４に記載の車両。
【請求項１０】
車両の加減速度が所定値以上のときには、
前記補正手段は、前記補正を行わないことを特徴とする請求項３又は請求項４に記載の車両。
【請求項１１】
前記補正手段は、
所定距離間隔ごとに前記傾斜角検出器からサンプリング抽出した値を傾斜角検出値とする傾斜角検出値入力手段と、
前記傾斜角検出値入力手段が入力した傾斜角検出値を任意の距離区間に亘って平均又は積分して傾斜角基準値を算出する傾斜角基準値算出手段と、
前記傾斜角検出値入力手段が入力した前記傾斜角検出値と前記傾斜角基準値算出手段が算出した前記傾斜角基準値とを減算して、前記車両における真の傾斜角である傾斜角真値を算出する傾斜角真値算出手段と
を備えることを特徴とする請求項３乃至請求項１０の何れか１項に記載の車両。
【発明の詳細な説明】
【技術分野】
【０００１】
本発明は、車両の傾斜角を検出する傾斜角検出器の自動補正装置、及びこれを用いた車両に関する。
【背景技術】
【０００２】
車両に取り付けられた傾斜角センサは、車両への取付け時に生じる取付誤差、温度変化等による環境誤差、及び経年変化による経時誤差などが生じるので、それらに対応して様々な自動補正の方法が採用されている。例えば、車両が停止していて、その車両に駆動力も制動力も加わっていない状態（以下、ニュートラル状態という）を検出し、そのときの傾斜角センサの出力レベルを水平基準値とするように自動的に傾斜角ゼロの更新補正を行う傾斜角センサの自動制御装置に関する技術が開示されている（例えば、特許文献１参照）。
【０００３】
また、エンジンが無負荷時に惰性走行している車両において、車速の変化量から路面の勾配を推定して傾斜角センサの出力レベルのゼロ点補正を行う技術も開示されている（例えば、特許文献１参照）。この技術によれば、傾斜角センサとして加速度センサを用い、その加速度センサが検出した無負荷時の車速の変化量から求めた実加速度と車両の駆動力から求めた水平路の予測加速度とによって加速度偏差を算出している。そして、この加速度偏差と各時点で検出した傾斜角センサの出力レベルとの差分がゼロになるように傾斜角センサの検出値（出力レベル）を補正することにより、傾斜角センサのゼロ点補正を自動的に行うことができる。
【特許文献１】特開２００１−３３６６１８号公報（段落番号００３６〜００３７、及び図７、図９参照）
【特許文献２】特開２００５−１９４９３４号公報（段落番号００２２〜００２３、及び図２参照）
【発明の開示】
【発明が解決しようとする課題】
【０００４】
特許文献1に記載の技術によれば、車両にブレーキ（制動力）がかかっていなくて、かつ回転部材に回転力（駆動力）がないときは、車両が平坦な路面上に位置して水平状態で停止しているので、このときの傾斜角センサの傾斜角検出値がゼロになるように更新補正すれば、傾斜角センサの取付誤差、環境誤差、及び経時誤差などを補償することができるので、走行中において常に正確な傾斜角を検出することが可能となる。しかしながら、この傾斜角センサは、車両にブレーキ（制動力）がかかっていなくて、かつ回転部材に回転力（駆動力）が加わらないときは車両が水平状態にあるとみなし、この水平状態のときの傾斜角検出値に基づいて傾斜角のゼロ点補正を行っている。
【０００５】
このため、車両が停止している路面に勾配があるときでも車両に制動力も駆動力も加わらないこともある。例えば、車両が勾配のある路面に停止しているとき、その路面上に存在する石や窪みなどによって形成された凹凸状態による路面抵抗よって、車両は駆動力も制動力も加わらないニュートラル状態となることもある。このような場合には、停車中の車両に所定の傾斜角が存在しているにも関わらず、傾斜角センサは傾斜角ゼロの補正を行ってしまうなどの不具合が生じる。また、車両の運行操作においては、通常は、路面が水平であるか勾配があるかに関わらず車両の停止時にはブレーキがかけられる。したがって、運転者が意識しなければ、車両に制動力も駆動力もかからないニュートラル状態を作り出すことはできない。つまり、特許文献1に開示された傾斜角センサによる傾斜角のゼロ点補正は非常に限られた条件下で行われる補正方法となり、運転者の操作状態によっては傾斜角のゼロ点補正が行われないこともある。
【０００６】
また、特許文献２に開示された傾斜角センサは、水平路の予測加速度と車速の変化量から求めた実加速度との差分によって算出した加速度偏差に基づいて、傾斜角のゼロ点補正を行っている。したがって、必然的に、時間軸上において検出された路面の勾配を積分して所定の時間内の走行区間平均勾配を求め、その走行区間平均勾配に基づいて傾斜角のゼロ点補正を行うことになる。言い換えると、車両の運転履歴に関係して走行区間平均勾配の値が変動するので、傾斜角のゼロ点補正を正確に行うことができない。さらには、傾斜角センサ（傾斜角検出器）が時間軸上で検出した路面勾配の検出信号には外乱成分が多く含まれているため、結果的に、傾斜角のゼロ点補正を高精度に行うことができなくなる。例えば、車両がアイドルストップしているときに不意に後退してしまう勾配は２〜５％（１．１５〜２．８６度）であるが、この勾配２〜５％を補償できる程度の高精度で傾斜角のゼロ点補正を行うことは難しい。
【０００７】
本発明は、傾斜角検出器自体の取付誤差や特性誤差に起因する傾斜角のゼロ点ずれを補正することができる傾斜角検出器の自動補正装置、及びこれを用いた車両を提供することを課題とする。
【課題を解決するための手段】
【０００８】
請求項１に係る発明の傾斜角検出器の自動補正装置は、傾斜角検出器の出力の所定の距離間隔毎における平均値もしくは積分値を前記傾斜角検出器の出力基準値とし、前記傾斜角検出器の出力値と前記出力基準値とに基づいて補正する補正手段を備えることを特徴とする。
【０００９】
車両の傾斜角を所定距離間隔毎に平均値もしくは積分値を算出した平均勾配は、この距離間隔を長くするほどゼロに収束する。このため、傾斜角検出器の出力の所定の距離間隔毎における平均値もしくは積分値である傾斜角検出器の出力基準値がゼロに収束しなければ傾斜角検出器の取付誤差、環境誤差、及び経時誤差などの誤差が存在することになる。したがって、傾斜角検出器の出力値と出力基準値とに基づいて補正することによって、取付誤差等が補正される。すなわち、車両が走行する道路の傾斜角を正確に検出することができる。また、この所定距離間隔は、サンプリング定理に基づいて車両が走行する道路の勾配変化周期の１／２以下の距離間隔であることが好ましい。また、出力基準値の算出を行う平均区間又は積分区間は、車両が１回走行した道路の距離区間に限らず、複数回にわたって走行した道路の距離区間であってもよい。
【００１０】
請求項２に係る発明の傾斜角検出器の自動補正装置は、請求項1に記載の傾斜角検出器の自動補正装置であって、前記補正手段は、前記傾斜角検出器の出力値から前記出力基準値を減算することを特徴とする。これによれば、傾斜角検出器の出力値から取付誤差等が打ち消される。
【００１１】
請求項３に係る発明の車両は、車両停車時に、傾斜角検出器の出力値が所定値以上の場合に、エンジンのアイドリングの自動停止動作を禁止するエンジン自動停止車両において、前記傾斜角検出器の出力の所定の距離間隔毎における平均値もしくは積分値を出力基準値とし、この出力基準値と前記出力値とを比較し、前記出力値から前記出力基準値を減算して補正する補正手段を備えることを特徴とする。
【００１２】
これによれば、傾斜角検出器の取付誤差等が自動的に補正されるので、正確な傾斜角でエンジンのアイドリングを自動的に停止させることができる。これにより、不要なエンジン駆動が低減するので車両のエネルギ効率が向上する。
【００１３】
請求項４に係る発明の車両は、少なくともエンジンを含む駆動源と、この駆動源に油圧制御クラッチを介して連結される駆動輪を備えた車両であって、傾斜角検出器の出力の所定の距離間隔毎における平均値もしくは積分値を前記傾斜角検出器の出力基準値とし、前記傾斜角検出器の出力値と前記出力基準値とを比較し、前記出力値から前記出力基準値を差し引いて補正する補正手段を備え、車両停車時に、前記補正手段の補正値が所定値以下の場合、前記油圧制御クラッチの伝達トルクを略ゼロとすることを特徴とする。
【００１４】
これによれば、傾斜角検出器の取付誤差等が自動的に補正されるので、油圧制御クラッチの伝達トルクを車両の傾斜角に適合させることができる。これにより、アイドル停止状態でのエンジンを含む駆動源の出力を最小にすることができるので車両のエネルギ効率が向上する。
【００１５】
請求項５に係る発明は、請求項３又は請求項４に記載の車両であって、大気圧の変動幅が所定値以上のときには、前記補正手段は、前記補正を行わないことを特徴とする。また、請求項６に係る発明は、請求項３又は請求項４に記載の車両であって、前記車両の位置検出手段による移動距離とその車両が記憶した走行距離とが一致しないときには、前記補正手段は、前記補正を行わないことを特徴とする。また、請求項７に係る発明は、請求項３又は請求項４に記載の車両であって、前記車両の姿勢変動が所定値以上のときには、前記補正手段は、前記補正を行わないことを特徴とする。また、請求項８に係る発明は、請求項３又は請求項４に記載の車両であって、アクセルペダルの踏み込み変動量が所定値以上のときには、前記補正手段は、前記補正を行わないことを特徴とする。また、請求項９に係る発明は、請求項３又は請求項４に記載の車両であって、低位のシフト段の使用頻度が所定値以上のときには、前記補正手段は、前記補正を行わないことを特徴とする。また、請求項１０に係る発明は、請求項３又は請求項４に記載の車両であって、車両の加減速度が所定値以上のときには、前記補正手段は、前記補正を行わないことを特徴とする。これらの構成によれば、外乱による影響が少なくなるので誤差が低減する。
【００１６】
請求項１１に係る発明は、請求項３乃至請求項１０の何れか１項に記載の車両であって、前記補正手段は、所定距離間隔ごとに前記傾斜角検出器からサンプリング抽出した値を傾斜角検出値とする傾斜角検出値入力手段と、前記傾斜角検出値入力手段が入力した傾斜角検出値を任意の距離区間に亘って平均又は積分して傾斜角基準値を算出する傾斜角基準値算出手段と、前記傾斜角検出値入力手段が入力した前記傾斜角検出値と前記傾斜角基準値算出手段が算出した前記傾斜角基準値とを減算して、前記車両における真の傾斜角である傾斜角真値を算出する傾斜角真値算出手段とを備えることを特徴とする。
【００１７】
これによれば、傾斜角検出値入力手段が傾斜角検出器の出力をサンプリング抽出し、傾斜角基準値算出手段がサンプリング抽出した値を任意の距離区間に亘って平均又は積分し、傾斜角真値算出手段がサンプリング抽出した値と平均又は積分した値とを減算して比較することにより傾斜角の真値を算出する。
【発明の効果】
【００１８】
本発明によれば、傾斜角検出器自体の取付誤差や特性誤差に起因する傾斜角のゼロ点ずれを補正することができる。
【発明を実施するための最良の形態】
【００１９】
《発明の概要》
以下、図面を参照しながら、本発明を実施するための最良の形態（以下「実施形態」という）に係る傾斜角センサ（傾斜角検出器）について好適な例をあげて説明するが、まず、理解を容易にするために本発明に係る傾斜角センサの概要について説明する。
【００２０】
以下、本発明における傾斜角センサの自動補正装置が、取付誤差や環境誤差や経時誤差などによって生じる傾斜角誤差を補正するためのゼロ点補正方法の具体的な実施形態について詳細に説明する。車両の前後方向の傾斜角を検出する傾斜角センサは、車両の走行方向前後での車両標高差は走行距離に対して比較的小さく、走行距離が長くなるほど走行距離に対する車両標高差の比率（以下、車両平均勾配という）はゼロ（水平）に近づく性質を備える。
【００２１】
また、傾斜角センサに誤差が無く、かつ走行区間の勾配に所定の繰り返しが無い場合には、傾斜角センサが傾斜角検出値を所定走行距離ごとにサンプリング抽出してその傾斜角検出値の平均値をとると、その平均値は走行区間における車両平均勾配と等しくなる。また、走行区間の路面勾配に所定の繰り返しが続く場合には、走行距離上の検出間隔が路面勾配の繰り返し間隔と等しいか又は整数倍であると、傾斜角センサがサンプリング抽出した傾斜角検出値に偏りを生じる。例えば、傾斜角センサが路面勾配のピーク点のみでサンプリング抽出を行うと、抽出された傾斜角検出値の平均値（つまり、車両平均勾配）はゼロにならない。しかし、路面勾配の変化周期よりも充分に短い距離間隔で傾斜角センサが傾斜角検出値をサンプリング抽出すれば偏りは生じない。つまり、車両平均勾配はゼロになる。
【００２２】
したがって、充分に長い距離の走行区間にて充分短い距離間隔でサンプリング抽出された傾斜角検出値の平均値（つまり、車両平均勾配）がゼロにならないということは、傾斜角センサの傾斜角検出値のゼロ点がずれていることであるから、サンプリング抽出された傾斜角検出値の平均値（つまり、車両平均勾配）を傾斜角センサの出力レベルである傾斜角検出値の補正値（つまり、傾斜角基準値）とする。そして、各時点でサンプリング抽出された傾斜角センサの傾斜角検出値からこの補正値（傾斜角基準値）を差し引いた値を真の傾斜角度（つまり、傾斜角真値）とすることにより、走行中の車両における真の傾斜角を検出することが可能となる。
【００２３】
《第１の実施形態》
以上の基本概念について図面を用いて具体的に説明する。図１は、走行距離に対する走行区間実勾配及び走行区間平均勾配と傾斜角センサがサンプリング抽出する傾斜角検出値との関係を示す特性図である。図１において、横軸は走行距離（ｋｍ）、左縦軸は路面勾配（ｍ／ｋｍ）、右縦軸は道路標高差（ｍ）を表わしている。また、特性（１）は走行区間実勾配、特性（２）は走行区間平均勾配、特性(３)は傾斜角センサがサンプリング抽出する傾斜角検出値を示している。
【００２４】
図１において、走行区間実勾配（１）は走行距離２ｋｍに亘って道路標高差０ｍから５０ｍまで起伏していて、走行区間平均勾配(２)は標高差０ｍから５０ｍまで直線で上昇している。このような起伏のある走行路において、車両に搭載された傾斜角センサは、一定の距離間隔で走行路の傾斜角をサンプリング抽出して傾斜角検出値（３）を取得している。傾斜角センサが一定距離間隔でサンプリング抽出する傾斜角検出値（３）は、走行路の路面の起伏に応じて、例えば、７５ｍ／ｋｍ程度の大きな上り路面勾配であることもあれば、−１０ｍ／ｋｍ程度の小さな下り路面勾配であることもある。
【００２５】
図２は、本実施形態における傾斜角センサの自動補正装置の概念図である。図２において、車両１が任意の勾配を有する道路２を走行している。車両１の車体に取り付けられた傾斜角センサ３が、道路２における車両１の走行軌跡に対し一定の距離間隔で傾斜角検出値４ｓを検出する。
【００２６】
一方、走行距離の検出は、車軸の角度センサ、エンジンの回転速度センサ×総減速比、又は車速×時間などによって実現することができる。ここでは、車速×時間により走行距離を検出するものとし、傾斜角センサ３に直列に接続されたスイッチ５に対して一定時間間隔ごとに車速パルサ６が車速パルス１０ｓを送信することによってスイッチ５を間欠的にＯＮさせる。これによって、傾斜角センサ３は、道路２の一定距離間隔ごとに傾斜角を検出し、傾斜角検出値４ｓとしてサンプリング抽出することができる。
【００２７】
このようにして、道路２の一定距離間隔ごとにサンプリング抽出した傾斜角センサ３の傾斜角検出値４ｓを平均又は積分して傾斜角基準値７ｓとする。ここでは、傾斜角センサ３が道路２の一定距離間隔でサンプリング抽出した傾斜角検出値４ｓの平均値を採って傾斜角基準値７ｓとする。
【００２８】
さらに、比較器８によって、傾斜角センサ３が一定距離間隔ごとにサンプリング抽出した傾斜角検出値４ｓと傾斜角基準値７ｓとを比較し、傾斜角検出値４ｓから傾斜角基準値７ｓを差し引いた値を傾斜角センサ３の出力の補正済み値として傾斜角真値９ｓする。傾斜角真値９ｓは、傾斜角センサ３の取付誤差や環境誤差や経時誤差などによって生じる傾斜角検出値４ｓのゼロ点誤差を補正された値である。
【００２９】
なお、傾斜角センサ３がサンプリング抽出した傾斜角検出値４ｓには、温度特性や電源電圧特性などあらかじめわっている誤差要因に対しての補正値が含まれていてもよいし、傾斜角センサ３の取付け時の校正値が含まれていてもよい。
【００３０】
さらに、傾斜角センサ３が傾斜角検出値４ｓをサンプリング抽出する一定距離間隔は、原信号の周波数の２倍以上の周波数でサンプリングしないと原信号の情報が失われるというサンプリング定理に基づいて、車両１が走行しようとする道路２の勾配変化周期に対して１／２以下の距離間隔とする。また、一定距離間隔でサンプリング抽出した傾斜角センサ３の傾斜角検出値４ｓの平均区間又は積分区間は、車両１の１回の走行に限らず、複数回の走行にまたがるように設定してもよい。なお、一定距離間隔でサンプリング抽出した傾斜角センサ３の傾斜角検出値４ｓの平均区間又は積分区間は、車両１の走行しようとする道路２の道路標高差に対して統計的に充分な長さとする。
【００３１】
なお、一定距離間隔でサンプリング抽出した傾斜角センサ３の傾斜角検出値４ｓの平均区間又は積分区間において、次の６項目のような条件に該当する場合は、平均区間又は積分区間から除外するか、傾斜角基準値７ｓとして採用しないこととする。
【００３２】
（１）大気圧センサなどの検出結果によって大気圧の変動幅が一定以上あったとき。
（２）ＧＰＳなどの位置検出装置による移動距離と走行中の車両が記憶した走行距離とが一致しないとき。
（３）車両の姿勢検出装置などによって著しい姿勢変化が検出されたとき。
（４）アクセルペダルの踏み込み頻度が所定の値よりも大きいとき。
（５）低位のシフト段の使用頻度が所定の値よりも大きいとき。
（６）車両の高加減速度頻度のアンバランスが所定の値よりも大きいとき。
【００３３】
図３は、本実施形態における傾斜角センサの自動補正装置の構成を示すブロック図であり、特に、補正手段について詳細に記述されている。本実施形態における傾斜角センサの自動補正装置は、傾斜角センサ３が検出した車両の走行方向における傾斜角のゼロ点補正を行う傾斜角センサの自動補正装置１１であって、車速パルサ６からの車速パルスに基づいて車両の走行距離を一定距離間隔ごとに検出する距離検出手段１３と、距離検出手段１３が検出した一定距離間隔ごとに傾斜角センサ３からサンプリング抽出された車両の傾斜角を斜角検出値として入力する傾斜角検出値入力手段１２と、傾斜角検出値入力手段１２が入力した傾斜角検出値を任意の距離区間に亘って平均又は積分して傾斜角基準値を算出する傾斜角基準値算出手段１４と、傾斜角検出値入力手段１２が入力した傾斜角検出値と傾斜角基準値算出手段１４が算出した傾斜角基準値とを加算又は減算して、車両における真の傾斜角である傾斜角真値を算出する傾斜角真値算出手段１５とを備えた構成となっている。
【００３４】
また、一定時間間隔でサンプリング抽出した傾斜角検出値に対して、車速が速くなるほど重くなるような重み付けをした傾斜角中間値を求めることにより、この傾斜角中間値は、車速の速い遅いに関わらず、図２に示すように一定距離間隔で抽出された傾斜角検出値４ｓと等価になる。したがって、この傾斜角中間値を平均すれば図２に示すような傾斜角基準値７ｓを得ることができるので、この傾斜角基準値７ｓを比較器８へ入力することができる。
【００３５】
これにより、比較器８によって、傾斜角センサ３の一定時間間隔ごとの傾斜角検出値４ｓと傾斜角基準値７ｓ（つまり、傾斜角中間値の平均値）とを比較し、傾斜角センサ３の傾斜角検出値４ｓから傾斜角基準値７ｓまでを差し引いた値を傾斜角センサ３の出力の補正済み値として傾斜角真値９ｓとすることができる。そして、この傾斜角真値９ｓを用いることにより、傾斜角センサ３の取付誤差や環境誤差や経時誤差などによって生じる傾斜角４のゼロ点誤差を補正することができる。
【００３６】
すなわち、本実施形態における傾斜角センサの自動補正装置は、傾斜角センサ３に生じる各種の誤差を概ね１％以下に補正することができる。一方、日本国内であれば、自動車の走行できる道路の標高差は概ね３０００ｍ以下であるから、少なくとも３００ｋｍ走行すれば、走行区間平均勾配は１％（傾斜角にして０．５７度）以下となる。また、車両の実際の走行状況を考慮すれば、より短い距離でも充分な精度は得ることができる。一方、アイドルストップ車で、登り坂でのアイドルストップ停車で不意に後退してしまう勾配は一般的に２〜５％程度（傾斜角にして１．１５〜２．８６度）であるから、１％（傾斜角にして０．５７度）程度の精度で傾斜角検出値を補正することが実現できれば、アイドルストップの可否判断の手段として傾斜センサを使用することが充分に可能となる。
【００３７】
なお、本実施形態における傾斜角センサの自動補正装置においては、傾斜角検出値の補正を行うために新たなデバイスなどを追加する必要はない。また、アイドルストップ車に限らず、クリープトルクを調整するトランスミッションにおいても、クリープトルク量の調整パラメータとして傾斜センサを使用する場合にも、本発明における傾斜角センサの自動補正装置を用いた補正手法は有効である。
【００３８】
《第２の実施形態》
第２の実施形態では、アイドリングストップシステムを備えた車両に本発明における傾斜角センサを適用した場合の実施形態について説明する。ここでは、最初に傾斜角センサを備えない場合のアイドリングストップシステムの構成及び動作を説明し、その上で前記実施形態の傾斜角センサを備えた場合のアイドリングストップシステムの構成及び動作について説明する。
【００３９】
図４は、車両におけるアイドルストップシステムの構成を示す概念図である。また、図５は、図４に示すアイドルストップシステムの構成要素間の関係を示すブロック図である。さらに、図６は、図５に示すアイドルストップシステムの各構成要素の動作状態と時間との関係を示す動作概念図である。また、図７は、図５に示すアイドルストップシステムの各構成要素においてアイドルストップを行わないときの動作状態を示す動作概念図である。また、図５の構成要素と図６及び図７の動作概念図との対応関係がよくわかるように、図６及び図７の各動作波形には、図５の各構成要素に対応する番号に２１ａというように添え字ａが付してある。
【００４０】
図４に示すアイドルストップシステムの構成において、エンジン２１には始動を行うためのモータ２２が連結されていて、ベルト式のＣＶＴからなる減速機２３と発進クラッチ２４とによってエンジン２１の駆動力が駆動輪２５に伝達されるように構成されている。なお、エンジン２１とモータ２２とで駆動源を構成する。
【００４１】
また、図５に示すように、エンジン２１にはオイルポンプ２６が接続されており、オイルポンプ２６で発生した油圧に基づいて、調圧装置２７を介して発進クラッチ（油圧制御クラッチ）２４に油圧を供給し、発進クラッチ２４の伝達トルクを調節している。すなわち、調圧装置２７で制御された油圧に基づいて発進クラッチ２４の伝達トルクが制御される。なお、これらの制御は、制御装置３０がブレーキ２８及び車速パルサ６からの信号などに基づいて行う。
【００４２】
次に、図５の構成図と図６の動作概念図を参照しながらアイドルストップの動作について説明する。なお、アイドルストップの動作については、理解を容易にするために経過時刻ｔ１，ｔ２…を追って説明する。時刻ｔ１におけるブレーキ２８ａの操作により車速６ａが減速して、時刻ｔ２でエンジン回転速度２１ａがアイドル回転速度になると、発進クラッチ制御油圧２４ａをエンストしない油圧にまで減圧する。さらに、車速６ａを減速して時刻ｔ３で車両が停止すると、オイルポンプ２６を停めてエンジン２１が停止するアイドルストップの区間に入る。
【００４３】
次に、アイドルストップの区間の時刻ｔ４において運転者がブレーキ２８ａを開放すると、やや遅れた時刻ｔ５においてアイドルストップが解除されて、モータ２２によってエンジン２１が始動してエンジン回転速度２１ａが上昇する。このとき、時刻ｔ５でエンジン回転速度２１ａが上昇し始め、オイルポンプ２６が始動してから発進クラッチ２４に油圧が伝達されるまでは若干の時間遅れが生じるので、時刻ｔ５より遅れた時刻ｔ６において発進クラッチ制御油圧２４ａが与えられて車両が発進して車速６ａが上昇し始める。
【００４４】
このように、エンジン２１が回転を始めてから発進クラッチ２４に油圧が伝達されるまでは若干の時間遅れを伴うので、車両が登り坂で停止していた場合には、ブレーキ２８ａを離した後、この時間遅れの間（つまり、時刻ｔ４から時刻ｔ６までの間）に車両が不意に後退してしまうことがある。
【００４５】
また、アイドルストップを行わないで車両が停車する場合は、図７に示すように、時刻ｔ１でブレーキ２８ａを踏んで車両が停車している間（つまり、時刻ｔ１から時刻ｔ４までの間）も発進クラッチ２４には所定圧力の発進クラッチ制御油圧２４ａが与えられるため、弱いトルクを発進クラッチ２４に伝達させておくことができる。すなわち、制御装置３０は、時刻ｔ４でブレーキ２８を開放した後も、時刻ｔ５までは発進クラッチ２４に弱いトルクを伝達させ続けることができる。このため、時刻ｔ５における弱いトルクの伝達時点から発進に必要な発進クラッチ制御油圧２４ａになるまでの時刻ｔ６の遅れ時間（つまり、時刻ｔ５から時刻ｔ６までの遅れ時間）は、図６のアイドルストップした場合の遅れ時間（時刻ｔ５から時刻ｔ６まで）よりも短くなる。したがって、車両が登り坂で停止していた場合には、図７のようにアイドルストップを許可しないようにすることが有効である。
【００４６】
そこで、図５に示すアイドルストップシステムに対して、前記実施形態で説明した傾斜角センサの自動補正装置を付加することにより、傾斜角センサが登り坂であると判定した場合はアイドルストップを許可しないようにすることが有効である。
【００４７】
図８は、アイドルストップシステムに傾斜角センサの自動補正装置を付加したときの構成要素を示すブロック図である。なお、前記実施形態で説明した傾斜角センサの自動補正装置とは、図８における傾斜角センサ３及び制御装置３０である。
【００４８】
ここで、本実施形態で実現される傾斜角センサの自動補正装置１１（図３）は、第１の実施形態で述べたように、傾斜角検出値から傾斜角基準値を差し引いた傾斜角真値を出力することができる機能を備えたものである。このような傾斜角真値を用いることによって、傾斜角センサ３の取付誤差や環境誤差や経時誤差などによって生じる傾斜角のゼロ点誤差を補正することができるので、図３の制御装置３０は、傾斜角センサ３が検出した傾斜角の情報に基づいて登り坂であるか否かを高精度に判断することが可能となる。その結果、高精度にアイドルストップの許可／不許可を判定することができる。
【００４９】
図９は、図８における車速パルサ６が車速信号を送信する一例を示す概念図である。車速パルサ６は、制御装置３０及びスピードメータ３１に対して、例えば、車両が６０ｋｍ／ｈで走行しているときは２５４８パルス／分の信号を送信している。これによって、スピードメータ３１は６０ｋｍ／ｈを指示する。一方、制御装置３０は、２５４８パルス／分の信号より走行距離を換算し、一定距離間隔ごと傾斜角センサ３から傾斜角真値を抽出して車両の走行方向の勾配を検出する。
【００５０】
図１０は、図８に示すアイドルストップシステムの制御装置３０が行う車両制御の流れを示すフローチャートである。制御装置３０は、車両制御を行うとき、まず、車速パルサ６からの信号によって車速が速いか否かの判定を行い（ステップＳ１）、車速が速い場合は通常の走行時制御を行う（ステップＳ２）。一方、ステップＳ１において車速が遅いと判定された場合は、車速がゼロであるか否かの判定を行い（ステップＳ３）、車速がゼロでない場合はアイドリング運転を行う（ステップＳ４）。
【００５１】
一方、ステップＳ３の判定において車速がゼロの場合は、制御装置３０は、ブレーキ２８を踏んでいるか否かの判定を行い（ステップＳ５）、ブレーキ２８を踏んでいない場合はアイドリング運転を行う（ステップＳ４）。また、ステップＳ５の判定においてブレーキ２８を踏んでいる場合は、制御装置３０は、傾斜角センサ３からサンプリング抽出した傾斜角検出値と傾斜角検出値の平均値より求めた傾斜角基準値とによって算出した傾斜角真値に基づいて、アイドル停止の可否を判定する（ステップＳ６）。
【００５２】
ここで、ステップＳ６の判定において、傾斜角真値が所定の値より大きい場合は、制御装置３０は、所定の勾配以上の登り坂であると判断してアイドル停止を不許可にしてアイドリング運転を行う（ステップＳ４）。一方、ステップＳ６の判定において、傾斜角真値が所定の値より小さい場合は、制御装置３０は、所定の勾配以下の登り坂であると判断してアイドル停止を許可してアイドリング停止を行う（ステップＳ７）。
【００５３】
図１１は、図１０に示すステップＳ６のアイドル停止可否の判定処理の流れを詳細に示すフローチャートである。制御装置３０は、アイドル停止の許可判断を行う場合、まず、モータ２２の始動が可能であるか否かを判定する（ステップＳ１１）。ここで、モータ２２の始動が不可能である場合はアイドル停止を不許可にする（ステップＳ１２）。一方、ステップＳ１１の判定でモータ２２の始動が可能である場合は、制御装置３０は、エンジン２１が暖機済みであるか否かを判定する（ステップＳ１３）。ここで、エンジン２１が暖機中であればアイドル停止を不許可にする（ステップＳ１２）。
【００５４】
一方、ステップＳ１３の判定でエンジン２１が暖機済みであれば、制御装置３０は、傾斜角センサ３が登り坂を判定することが可能であるか否かを判定する（ステップＳ１４）。ここで、傾斜角センサ３が登り坂を判定することが不可能であればアイドル停止を不許可にする（ステップＳ１２）。また、ステップＳ１４の判定において傾斜角センサ３が登り坂を判定することが可能であれば、制御装置３０は、車両１が走行する道路２は登り坂であるか否かの判定を行う（ステップＳ１５）。
【００５５】
ここで、車両１が走行する道路２が登り坂であれば、アイドル停止を不許可にして（ステップＳ１２）、発進クラッチ２４の伝達遅れ時間をできるだけ短くする。一方、ステップＳ１５の判定において車両１が走行する道路２が登り坂でなければ、アイドル停止を許可する（ステップＳ１６）
【００５６】
図１２は、図１１に示すステップＳ１４及びステップＳ１５の登り坂判定処理の流れを詳細に示すフローチャートである。制御装置３０が、傾斜角センサ３からの傾斜角の検出情報に基づいて登り坂の判定処理を行う場合は、まず、制御装置３０は、傾斜角センサ３は正常であるか否かの判定を行う（ステップＳ２１）。ここで、傾斜角センサ３が正常でない場合は登り坂判定は不可能であるとする（ステップＳ２２）。
【００５７】
一方、ステップＳ２１の判定で傾斜角センサ３は正常であると判定された場合は、傾斜角センサ３の温度補正が可能であるか否かの判定を行う（ステップＳ２３）。ここで、傾斜角センサ３の温度補正が不可能であれば、登り坂判定は不可能であるとする（ステップＳ２２）。また、ステップＳ２３の判定において傾斜角センサ３の温度補正が可能であれば、傾斜角センサ３の電圧補正が可能であるか否かの判定を行う（ステップＳ２４）。ここで、傾斜角センサ３の電圧補正が不可能であれば、登り坂判定は不可能であるとする（ステップＳ２２）。
【００５８】
一方、ステップＳ２４の判定において傾斜角センサ３の電圧補正が可能であると判定されれば、制御装置３０は、傾斜角センサ３は正常であるとみなして、傾斜角検出値、初期補正値、傾斜角基準値、温度補正値、及び電圧補正値を加算した値を、傾斜角のゼロ点補正が行われた傾斜角真値とする（ステップＳ２５）。
【００５９】
そして、制御装置３０は、傾斜角真値が一定値以上であるか否かを判定する（ステップＳ２６）。ここで、傾斜角真値が一定値以上であれば、車両１が走行する道路２は登り坂であると判断する（ステップＳ２７）。一方、ステップＳ２６の判定において傾斜角真値が一定値未満であれば、車両１が走行する道路２は登り坂ではないと判断する（ステップＳ２８）。このようにして、制御装置３０は、傾斜角センサ３を用いて車両１が走行する道路２の登り坂判定を正確に行うことができる（ステップＳ２９）。
【００６０】
次に、図１２のステップＳ２５で傾斜角の補正に用いた傾斜角基準値の求め方についてフローチャートを用いて詳細に説明する。図１３は、図１２のステップＳ２５で傾斜角のゼロ点補正に用いた傾斜角基準値を求めるための処理の流れを示すフローチャートである。
【００６１】
制御装置３０が傾斜角のゼロ点補正を行うための傾斜角基準値を算出する処理を行う場合は、まず、制御装置３０は、車速パルサ６から車速パルスの入力があったか否かを判定し（ステップＳ３１）、車速パルスの入力がなければあるまで待機し、車速パルスの入力があれば、前回までの傾斜角積算値に今回の傾斜角検出値を加算して今回の傾斜角積算値とする（ステップＳ３２）。さらに、前回までの距離カウンタに１を加算して今回の距離カウンタとする（ステップＳ３３）。
【００６２】
そして、現在の距離カウンタが一定値以上になったか否かを判定し（ステップＳ３４）、未だ一定値未満であれば、ステップＳ３１に戻って車速パルサ６から車速パルスの入力があったか否かを判定してステップＳ３４までを繰り返す。一方、ステップＳ３４の判定で現在の距離カウンタが一定値以上になっていれば、現在の傾斜角積算値を現在の距離カウンタで割算して傾斜角基準値を求める（ステップＳ３５）。そして、現在の傾斜角積算値をゼロにクリアすると共に現在の距離カウンタをゼロにクリアする（ステップＳ３６）。そして、車両１が道路２を走行している間中はこのような処理を繰り返す。なお、図１３のフローチャートでは傾斜角検出値の積算によって傾斜角基準値を求めたが、傾斜角検出値の平均値によって傾斜角基準値を求めてもよい。
【００６３】
次に、走行条件によって傾斜角積算を除外する場合の具体例について説明する。走行条件によって傾斜角積算を除外するためには、傾斜角積算の演算処理を二重化して、除外する走行回の傾斜角計測値を積算に組み入れないようにすればよい。図１４は、制御装置３０が走行条件によって傾斜角積算を除外する場合の処理の流れを示すフローチャートである。また、図１５は、図１４のステップＳ４２における積算除外条件確認の詳細な処理の流れを示すフローチャートである。
【００６４】
図１４において、制御装置３０が傾斜角基準値を算出する処理を行う場合は、まず、イグニッションスイッチがＯＮになっているか否かを判定する（ステップＳ４１）。ここで、イグニッションスイッチがＯＮになっていれば、傾斜角の積算除外条件確認処理を行う（ステップＳ４２）。
【００６５】
そして、車速パルサ６から車速パルスの入力があったか否かを判定し（ステップＳ４３）、車速パルスの入力がなければステップＳ４１に戻って処理を繰り返すが、車速パルスの入力があれば、前回までの１次傾斜角積算値に今回の傾斜角検出値を加算して今回の１次傾斜角積算値とする（ステップＳ４４）。さらに、前回までの１次距離カウンタに１を加算して今回の１次距離カウンタとする（ステップＳ４５）。そして、ステップＳ４１に戻って、このような処理を繰り返す。
【００６６】
一方、ステップＳ４１の判定において、イグニッションスイッチがＯＦＦになっていれば、制御装置３０は、傾斜角の積算除外条件発生履歴のフラグがあるか否かを判定し（ステップＳ４６）、傾斜角の積算除外条件発生履歴のフラグがあれば、傾斜角の積算除外条件発生履歴をクリアして（ステップＳ４７）、１次傾斜角積算値をゼロにすると共に１次距離カウンタをゼロにする（ステップＳ４８）。そして、処理はステップＳ４１に戻る。
【００６７】
また、ステップＳ４６の判定で傾斜角の積算除外条件発生履歴のフラグがない場合は、前回までの２次傾斜角積算値に前回までの１次傾斜角積算値を加算して今回の２次傾斜角積算値とする（ステップＳ４９）。さらに、前回までの２次距離カウンタに前回までの１次距離カウンタを加算して今回の２次距離カウンタとする（ステップＳ５０）。そして、１次傾斜角積算値をゼロにすると共に１次距離カウンタをゼロにする（ステップＳ５１）。
【００６８】
そして、今回の２次距離カウンタが一定値以上になったか否かを判定し（ステップＳ５２）、未だ一定値未満であれば、ステップＳ４１に戻る。一方、ステップＳ５２の判定で今回の２次距離カウンタが一定値以上になっていれば、今回の２次傾斜角積算値を今回の２次距離カウンタで割算して傾斜角基準値を求める（ステップＳ５３）。そして、今回の２次傾斜角積算値をゼロにクリアすると共に今回の２次距離カウンタをゼロにクリアし（ステップＳ５４）、処理はステップＳ４１に戻る。車両１が道路２を走行している間中はこのような処理が繰り返される。
【００６９】
なお、図１４におけるステップＳ４２の傾斜角の積算除外条件確認処理は、図１５に示すように、大気圧変動幅が大きいとき（ステップＳ６１）、車両姿勢の変化幅が大きいとき（ステップＳ６２）、アクセルペダルの踏込み頻度が多いとき（ステップＳ６３）、低速ギア使用頻度が多いとき（ステップＳ６４）、加減速頻度が多いとき（ステップＳ６５）、１次距離カウンタとＧＰＳ計測距離とが一致しないとき（ステップＳ６６）のいずれかの場合は、傾斜角の積算除外条件発生履歴ありにセットする（ステップＳ６７）。また、前記の各積算除外条件がいずれも該当しない場合は、処理は元のルーチンに戻る。
【００７０】
《第３の実施形態》
第３の実施形態では、アイドリングストップシステムを持たない車両に本発明における傾斜角センサの自動補正装置を適用した場合の実施形態について説明する。なお、ここでも、本発明における傾斜角センサの自動補正装置の優位性を明確にするために、最初に傾斜角センサを備えない場合の構成及び動作を説明し、その上で、本実施形態における傾斜角センサの自動補正装置を備えた場合の構成及び動作について説明する。但し、第１及び第２の実施形態と重複する内容については説明を省略する。
【００７１】
図１６は、アイドルストップシステムを持たない一般的な車両の構成を示す概念図である。また、図１７は、図１６に示す車両におけるクラッチ系の構成要素を詳細に示すブロック図である。さらに、図１８は、図１７に示すクラッチ系の構成要素の動作状態を示す動作概念図である。なお、図１８において、横軸は時間の流れを表わし、縦軸はそれぞれの構成要素の動作状態を表わしている。
【００７２】
図１６及び図１７に示すように、アイドルストップシステムを持たない車両のシステム構成は、図４及び図５のアイドルストップシステムの構成からモータを取り除いた構成となっていて、その他の構成は図４及び図５の構成と全く変わらない。また、図１８の動作概念図についても、図７のアイドルストップシステムを持つ車両でアイドルストップを行わないときの動作概念図に対して、発進クラッチ制御油圧を減じてニュートラル制御を行っている点が異なっているだけである。したがって、第３の実施形態に固有の動作のみについて説明する。
【００７３】
図１７のような従来のアイドルストップシステムからモータを取り除いた構成においては、図１８に示すように、時刻ｔ１でブレーキ２８を踏んでから、時刻ｔ３以降でアイドルで停止している間に継続して同じ油圧の発進クラッチ制御油圧２４ａを供給して発進クラッチ２４に弱いトルクを伝達させていると、エンジン２１は必要な回転速度を維持するためにより多くの燃料を消費する。
【００７４】
そこで、燃料消費を低減するために、停車中の時刻ｔ４以降において、発進クラッチ２４に与える発進クラッチ制御油圧２４ａをさらに減じて、発進クラッチ２４の無効ストロークを詰める程度の油圧に減ずる制御（いわゆるニュートラル制御）を行っている。なお、このようなニュートラル制御は、アイドルストップ中において発進クラッチのスタンバイ油圧を弱めてクリープトルクを調整するときによく行われている。
【００７５】
ところが、図１７のようなアイドルストップシステムを持たない車両においても、ニュートラル制御を実施した場合は、図１８に示すように、時刻ｔ５でブレーキ２８を離してアイドルストップを解除してから時刻ｔ６までの時間は、発進クラッチ制御油圧２４ａは引き続いてほぼゼロの油圧でニュートラル制御が継続され、さらに、車両の発進に必要な発進クラッチ制御油圧２４ａに上昇するまでには時刻ｔ６から時刻ｔ７までの時間遅れが生じる。つまり、図６に示したアイドルストップ車の発進クラッチ制御油圧の立ち上がりパターンと同様に、発進クラッチ制御油圧２４ａの立ち上がりが遅くなるために、登り坂において不意の後退が発生するおそれがある。
【００７６】
そこで、アイドルストップシステムを持たない車両においても本発明における傾斜角センサの自動補正装置が有効に作用する。図１９は、アイドルストップシステムを持たない車両において本発明における傾斜角センサの自動補正装置を付加したときの構成要素を示すブロック図である。すなわち、図１９は、図１７に示す従来のアイドルストップシステムを持たない車両のシステム構成に対して本発明の傾斜角センサ３を付加した構成となっている。すなわち、アイドルストップシステムを持たない車両のシステム構成に対して、傾斜角センサ３を付加して制御装置３０でゼロ点補正を行うことにより、登り坂であると判定した場合にはニュートラル制御を許可しないようになっている。
【００７７】
図２０は、図１９に示すアイドルストップシステムを持たない車両の制御装置が行う車両制御の流れを示すフローチャートである。制御装置３０は、車両制御を行うとき、まず、車速パルサ６からの信号によって車速が速いか否かの判定を行い（ステップＳ７１）、車速が速い場合は通常の走行時制御を行う（ステップＳ７２）。一方、ステップＳ７１の判定において車速が遅い場合は、車速がゼロであるか否かの判定を行い（ステップＳ７３）、車速がゼロでない場合はニュートラル制御を行わない（ステップＳ７４）。
【００７８】
一方、ステップＳ７３の判定において車速がゼロの場合は、制御装置３０は、ブレーキ２８を踏んでいるか否かの判定を行い（ステップＳ７５）、ブレーキ２８を踏んでいない場合はニュートラル制御を行わない（ステップＳ７４）。また、ステップＳ７５の判定においてブレーキ２８を踏んでいる場合は、制御装置３０は、傾斜角真値の情報に基づいてニュートラル制御の可否を判定する（ステップＳ７６）。
【００７９】
ここで、ステップＳ７６の判定において、ニュートラル制御不許可と判定された場合には、ニュートラル制御を行わない（ステップＳ７４）。一方、ステップＳ７６の判定において、ニュートラル制御許可と判定された場合には、ニュートラル制御を許可してニュートラル制御を行う（ステップＳ７７）。
【００８０】
図２１は、図２０に示すステップＳ７６のニュートラル制御可否の判定処理の流れを詳細に示すフローチャートである。ニュートラル制御の許可判断を行う場合、まず、制御装置３０は、エンジン２１が暖機済みであるか否かを判定する（ステップＳ８１）。ここで、エンジン２１が暖機中であればニュートラル制御を許可しない（ステップＳ８２）。一方、ステップＳ８１の判定でエンジン２１が暖機済みであれば、制御装置３０は、傾斜角センサ３が登り坂を判定することが可能であるか否かを判定する（ステップＳ８３）。
【００８１】
ここで、傾斜角センサ３が登り坂を判定することが不可能であればニュートラル制御を許可しない（ステップＳ８２）。また、ステップＳ８３の判定において傾斜角センサ３が登り坂を判定することが可能であれば、制御装置３０は、車両１が走行する道路２は登り坂であるか否かの判定を行う（ステップＳ８４）。ここで、車両１が走行する道路２が登り坂であれば、ニュートラル制御を許可しない（ステップＳ８２）。一方、ステップＳ８４の判定において車両１が走行する道路２が登り坂でなければ、ニュートラル制御を許可する（ステップＳ８５）。なお、図２１に示すステップＳ８３及びステップＳ８４の登り坂判定処理の詳細な流れを示すフローチャートは図１２と同じであるのでその説明は省略する。
【図面の簡単な説明】
【００８２】
【図１】走行距離に対する走行区間実勾配及び走行区間平均勾配と傾斜角センサがサンプリング抽出する傾斜角検出値の関係を示す特性図である。
【図２】本発明における傾斜角センサの自動補正装置が傾斜角のゼロ点補正を行う状態を示す概念図である。
【図３】本発明における傾斜角センサの自動補正装置の基本的な構成を示すブロック図である。
【図４】車両における一般的なアイドルストップシステムの構成を示す概念図である。
【図５】図４に示すアイドルストップシステムの構成要素間の関係を詳細に示すブロック図である。
【図６】図５に示すアイドルストップシステムの各構成要素の動作状態を示す動作概念図である。
【図７】図５に示すアイドルストップシステムの各構成要素においてアイドルストップを行わないときの動作状態を示す動作概念図である。
【図８】アイドルストップシステムに本発明で実現される傾斜角センサの自動補正装置を付加したときの構成要素を示すブロック図である。
【図９】図８における車速パルサ６が車速信号を送信する一例を示す概念図である。
【図１０】図８に示すアイドルストップシステムの制御装置３０が行う車両制御の流れを示すフローチャートである。
【図１１】図１０に示すステップＳ６のアイドル停止可否の判定処理の流れを詳細に示すフローチャートである。
【図１２】図１１に示すステップＳ１４及びステップＳ１５の登り坂判定処理の流れを詳細に示すフローチャートである。
【図１３】図１２のステップＳ２５で傾斜角のゼロ点補正に用いた傾斜角基準値を求めるための処理の流れを示すフローチャートである。
【図１４】制御装置３０が走行条件によって傾斜角積算を除外する場合の処理の流れを示すフローチャートである。
【図１５】図１４のステップＳ４２における積算除外条件確認の詳細な処理の流れを示すフローチャートである。
【図１６】アイドルストップシステムを持たない一般的な車両の構成を示す概念図である。
【図１７】図１６に示す車両におけるクラッチ系の構成要素を詳細に示すブロック図である。
【図１８】図１７に示すクラッチ系の構成要素の動作状態を示す動作概念図である。
【図１９】アイドルストップシステムを持たない車両において本発明における傾斜角センサの自動補正装置を付加したときの構成要素を示すブロック図である。
【図２０】図１９に示すアイドルストップシステムを持たない車両の制御装置が行う車両制御の流れを示すフローチャートである。
【図２１】図２０に示すステップＳ７６のニュートラル制御可否の判定処理の流れを詳細に示すフローチャートである。
【符号の説明】
【００８３】
１  車両
２  道路
３  傾斜角センサ（傾斜角検出器）
４ｓ  傾斜角検出値
５  スイッチ
６  車速パルサ
７ｓ  傾斜角基準値
８  比較器
９ｓ  傾斜角真値
１１  傾斜角センサの自動補正装置
１２  傾斜角検出値入力手段
１３  距離検出手段
１４  傾斜角基準値算出手段
１５  傾斜角真値算出手段
２１  エンジン（駆動源）
２２  モータ（駆動源）
２３  減速機
２４  発進クラッチ（油圧制御クラッチ）
２５  駆動輪
２６  オイルポンプ
２７  調圧装置
２８，２８ａ  ブレーキ
３０  制御装置
３１  スピードメータ
【図１】
2008138620.tif 000003
【図２】
2008138620.tif 000004
【図３】
2008138620.tif 000005
【図４】
2008138620.tif 000006
【図５】
2008138620.tif 000007
【図６】
2008138620.tif 000008
【図７】
2008138620.tif 000009
【図８】
2008138620.tif 000010
【図９】
2008138620.tif 000011
【図１０】
2008138620.tif 000012
【図１１】
2008138620.tif 000013
【図１２】
2008138620.tif 000014
【図１３】
2008138620.tif 000015
【図１４】
2008138620.tif 000016
【図１５】
2008138620.tif 000017
【図１６】
2008138620.tif 000018
【図１７】
2008138620.tif 000019
【図１８】
2008138620.tif 000020
【図１９】
2008138620.tif 000021
【図２０】
2008138620.tif 000022
【図２１】
2008138620.tif 000023